(57)【要約】  眼科用イメージングシステム用の方法（５１０〜５１８）及び装置（２００）が提供される。マイクロディスプレイ・プロジェクタ（２７０）に基づくヘッドアップディスプレイを有する、眼科用照明システムが提供される。一実施形態によると、第１の光学素子（２２０）は、光源（２１０）からの光（２０５）を、検査対象の眼（２３０）に方向付けるように構成される。マイクロディスプレイ・プロジェクタ（２７０）は、検査対象の眼に関連する情報を含むマイクロディスプレイ画像（２８０−Ａ）を生成するように構成される。第３の光学素子（２６５）は、眼（２３０）に方向付けられた光（２０５）に起因する、眼からの反射光（２４０−Ａ）を受け取るように、マイクロディスプレイ画像（２８０−Ａ）を受け取るように、かつ反射光（２４０−Ａ）の少なくとも一部、及びマイクロディスプレイ画像（２８０−Ａ）からの光（２８０−Ｂ）の少なくとも一部を伝達する（２４０−Ｂ）ように構成される。
2017500108.tif 000002
【特許請求の範囲】
【請求項１】
眼科用照明システムであって、
光源からの光を、検査対象の眼に方向付けるように構成される、第１の光学素子と、
前記検査対象の眼に関連する情報を含むマイクロディスプレイ画像を生成するように構成される、マイクロディスプレイ・プロジェクタと、
第３の光学素子であって、
前記眼に方向付けられた前記光に起因する、前記眼からの反射光を受け取るように、
前記マイクロディスプレイ画像を受け取るように、かつ
前記反射光の少なくとも一部、及び前記マイクロディスプレイ画像からの光の少なくとも一部を伝達するように構成される、第３の光学素子と、を含む、システム。
【請求項２】
前記第３の光学素子は、前記反射光の前記一部、及び前記マイクロディスプレイ画像からの光の前記一部の立体画像を伝達するように更に構成される、請求項１に記載のシステム。
【請求項３】
前記第３の光学素子は、ビームスプリッタである、請求項１に記載のシステム。
【請求項４】
前記マイクロディスプレイ画像を生成するためのパラメータを受信するように、かつ、
前記パラメータに基づくコマンドを前記マイクロディスプレイ・プロジェクタに送信するように構成される制御部を更に含む、請求項１に記載のシステム。
【請求項５】
前記光源からの前記光は、照射領域を画定し、前記照射領域は、スリット状、円形、又は多角形の形状の領域のうちの１つである、請求項１に記載のシステム。
【請求項６】
前記マイクロディスプレイ画像は、測定情報、患者データ、治療パラメータ、手術前の画像、治療計画、照準ビームパターン、又は治療ビーム目標標識に関連する、請求項１に記載のシステム。
【請求項７】
前記マイクロディスプレイ・プロジェクタは、シリコン上液晶（ＬＣｏＳ）、デジタル・マイクロ・ミラー（ＤＭＤ）、又は微小電気機械システム（ＭＥＭＳ）マイクロスキャナのうちの１つを含む、請求項１に記載のシステム。
【請求項８】
前記マイクロディスプレイ・プロジェクタは、発光ダイオード（ＬＥＤ）又は赤−緑−青（ＲＧＢ）レーザ光源のうちの１つを含む、請求項１に記載のシステム。
【請求項９】
前記反射光の前記一部は、約９９パーセントである、請求項１に記載のシステム。
【請求項１０】
前記マイクロディスプレイ画像からの光の前記一部は、約１０パーセントである、請求項１に記載のシステム。
【請求項１１】
眼科用照明方法であって、
光源からの光を、検査対象の眼に方向付ける工程と、
前記眼に方向付けられた前記光に起因する、前記眼からの反射光を受け取る工程と、
前記検査対象の眼に関連する情報を含むマイクロディスプレイ画像を生成する工程と、
前記光源から方向付けられた前記光に起因する、前記眼からの反射光の少なくとも一部、及び前記マイクロディスプレイ画像からの光の少なくとも一部を伝達する工程と、を含む、方法。
【請求項１２】
前記反射光の前記一部、及び前記マイクロディスプレイ画像からの光の前記一部の立体画像を伝達する工程を更に含む、請求項１１に記載の方法。
【請求項１３】
前記マイクロディスプレイ画像を生成するためのパラメータを受信する工程と、
前記パラメータに基づくコマンドを送信する工程と、を更に含む、請求項１１に記載の方法。
【請求項１４】
前記光源からの前記光は、照射領域を画定し、前記照射領域は、スリット状、円形、又は多角形の形状の領域のうちの１つである、請求項１１に記載の方法。
【請求項１５】
前記マイクロディスプレイ画像は、測定情報、患者データ、治療パラメータ、手術前の画像、治療計画、照準ビームパターン、又は治療ビーム目標標識に関連する、請求項１１に記載の方法。
【請求項１６】
前記反射光の前記一部は、約９９パーセントである、請求項１１に記載の方法。
【請求項１７】
前記マイクロディスプレイ画像からの光の前記一部は、約１０パーセントである、請求項１１に記載の方法。
【請求項１８】
眼科用照明システムであって、
照射領域を画定する光を生成するように構成されるスリットランプと、
前記スリットランプからの前記光を、検査対象の眼に方向付けるように構成されるミラーと、
前記検査対象の眼に関連する情報を含むマイクロディスプレイ画像を生成するように構成される、マイクロディスプレイ・プロジェクタと、
ビームスプリッタであって、
前記眼に方向付けられた前記光に起因する、前記眼からの反射光を受け取るように、
前記マイクロディスプレイ画像を受け取るように、かつ
前記反射光の少なくとも一部、及び前記マイクロディスプレイ画像からの光の少なくとも一部を伝達するように構成される、ビームスプリッタと、を含む、システム。
【請求項１９】
前記ビームスプリッタは、前記反射光の前記一部、及び前記マイクロディスプレイ画像からの光の前記一部の立体画像を伝達するように更に構成される、請求項１８に記載のシステム。
【請求項２０】
前記マイクロディスプレイ画像を生成するためのパラメータを受信するように、かつ、
前記パラメータに基づくコマンドを前記マイクロディスプレイ・プロジェクタに送信するように構成される制御部を更に含む、請求項１８に記載のシステム。
【請求項２１】
前記照射領域は、スリット状、円形、又は多角形の形状の領域のうちの１つである、請求項１８に記載のシステム。
【請求項２２】
前記マイクロディスプレイ画像は、測定情報、患者データ、治療パラメータ、手術前の画像、治療計画、照準ビームパターン、又は治療ビーム目標標識に関連する、請求項１８に記載のシステム。
【請求項２３】
前記マイクロディスプレイ・プロジェクタは、シリコン上液晶（ＬＣｏＳ）、デジタル・マイクロ・ミラー（ＤＭＤ）、又は微小電気機械システム（ＭＥＭＳ）マイクロスキャナのうちの１つを含む、請求項１８に記載のシステム。
【請求項２４】
前記マイクロディスプレイ・プロジェクタは、発光ダイオード（ＬＥＤ）又は赤−緑−青（ＲＧＢ）レーザ光源のうちの１つを含む、請求項１８に記載のシステム。
【請求項２５】
前記反射光の前記一部は、約９０〜９９パーセントである、請求項１８に記載のシステム。
【請求項２６】
前記マイクロディスプレイ画像からの光の前記一部は、約５〜１５パーセントである、請求項１８に記載のシステム。
【発明の詳細な説明】
【技術分野】
【０００１】
本開示は、概して、眼の状態を診断及び治療する際に使用する眼科用照明システムに関し、より具体的には、眼科用照明システムと組み合わせて使用するための重ね合わせ画像を生成するシステム及び方法に関する。
【背景技術】
【０００２】
従来のスリットランプは、高輝度の光源からなる器具である。この高輝度の光源は、焦点を合わせて、光線で患者の眼を照らすことができる。この光線は、しばしば、患者の眼に、光の細いスリット状の広がりなどの、所望の光のパターンを照らし出すように、焦点を合わせられる。
【０００３】
スリットランプは、典型的に、眼科用照明システムに用いられ、例えば施術者が患者の眼を見ることを可能にすることにより、施術者が眼の状態を診断し治療することを可能にする。例えば、スリットランプは、まぶた、網膜、鞏膜、結膜、虹彩、水晶体、及び角膜を含む、患者の眼内の構造の検査を容易にするために用いられる、臨床的生物顕微鏡の構成部品となり得る。
【０００４】
多くの既存の眼科用照明システムでは、施術者が患者の眼の画像を観察すること、及び画像を改良するため、又は施術者の便宜のために、追加の情報を画像に重ね合わせることが可能である。例えば、重ね合わされた情報により、１つ以上の治療対象領域、治療領域に関連するガイダンス、又は他の有用な情報を示すことができる。
【０００５】
多くの既存のシステムでは、主要なソースからの画像（例えば、患者の眼）を損なわないように、主要なソースに関連する大量の光を、重ね合わせ情報に関連する比較的少量の光と組み合わせる。多くの既存の眼科用照明システムでは、重ね合わせ情報に関連する光の量を制限することにより、結果として得られる合成画像の質が低下する。
【発明の概要】
【０００６】
マイクロディスプレイ重ね合わせ画像源を有する眼科用照明システムを提供する。一実施形態によると、第１の光学素子は、光源からの光を、検査対象の眼に方向付けるように構成される。マイクロディスプレイ・プロジェクタは、検査対象の眼に関連する情報を含むマイクロディスプレイ画像を生成するように構成される。第３の光学素子は、眼に方向付けられた光に起因する、眼からの反射光を受け取るように、マイクロディスプレイ画像を受け取るように、かつ反射光の少なくとも一部、及びマイクロディスプレイ画像の少なくとも一部を伝達するように構成される。マイクロディスプレイ・プロジェクタは、シリコン上液晶（ＬＣｏＳ）、デジタル・マイクロ・ミラー（ＤＭＤ）、又は微小電気機械システム（ＭＥＭＳ）マイクロスキャナのうちの１つと、発光ダイオード（ＬＥＤ）又は赤−緑−青（ＲＧＢ）レーザ光源のうちの１つとを含むことができる。
【０００７】
一実施形態によると、第３の光学素子は、反射光の一部、及びマイクロディスプレイ画像の一部の立体画像を伝達するように更に構成することができる。第３の光学素子は、ビームスプリッタであり得る。
【０００８】
一実施形態によると、制御部は、マイクロディスプレイ画像を生成するためのパラメータを受信するように、かつ、このパラメータに基づくコマンドをマイクロディスプレイ・プロジェクタに送信するように構成することができる。
【０００９】
一実施形態によると、光源からの光は、照射領域を画定することができ、この照射領域は、スリット状、円形、又は多角形の形状の領域のうちの１つである。
【００１０】
一実施形態によると、マイクロディスプレイ画像は、測定情報、患者データ、治療パラメータ、手術前の画像、治療計画、照準ビームパターン、又は治療ビーム目標標識に関連することができる。
【００１１】
当業者には、以下の、発明を実施するための形態及び添付図面を参照することにより、本発明の上述及び他の利点が明らかとなるであろう。
【図面の簡単な説明】
【００１２】
【図１】従来の重ね合わせ画像源を有する従来技術の眼科用照明システムを示す図である。
【００１３】
【図２】一実施形態に係る、マイクロディスプレイ重ね合わせ画像源を有する眼科用照明システムを示す図である。
【００１４】
【図３】一実施形態に係る、マイクロディスプレイ重ね合わせ画像源を有する眼科用照明システムにより生成された、患者の眼の合成画像を示す図である。
【００１５】
【図４】一実施形態に係る、マイクロディスプレイ重ね合わせ画像源を有する立体視眼科用照明システムを示す図である。
【００１６】
【図５】一実施形態に係る、眼科用照明方法のフローチャートを示す図である。
【００１７】
【図６】本明細書の様々な実施形態に使用することができる、例示的なコンピュータの高レベルのブロック図を示す図である。
【発明を実施するための形態】
【００１８】
図１は、従来の重ね合わせ画像源を有する従来技術の眼科用照明システムを示す。イメージングシステム１００は、主光源１１０と、ミラー１２０、画像源１７０と、ビームスプリッタ１６５と、を含む。主光源１１０は、光を生成し、スリット調節機構、光学リレー、フィルタホイール、スリット回転プリズムアセンブリ、及び出射（変向）プリズム／ミラーを含む様々な素子（図示せず）に光を向けるハロゲン光源などの、高輝度／高圧の光源を含むスリットランプを含むことができる。
【００１９】
従来のイメージングシステムでは、主光源１１０が、光１０５を生成し、この光を、ミラー１２０によって患者の眼１３０に向けて方向付ける。光は、患者の眼１３０に当たって反射され、反射光１４０−Ａを生成する。反射光１４０−Ｂは、ビームスプリッタ１６５を透過し、施術者の眼１９０に向けて伝搬し、施術者が患者の眼１３０内の構造を見ることを可能にする。ビームスプリッタ１６５は、典型的に、用途に応じて、患者の眼１３０からの反射光１４０−Ａの相当量が透過できるように適合されるが、１４０−Ｃとして示される反射光の幾らかの量は、失われる。
【００２０】
画像源１７０は、患者の眼１３０の画像上に重ね合わせる画像を生成する。例示的には、画像源１７０は光１８０−Ａを介してこの画像を伝達する。光１８０−Ａはビームスプリッタ１６５に方向付けられ、反射光１８０−Ｂがビームスプリッタ１６５によって施術者の眼１９０に向けて伝達される。典型的には、１８０−Ｃとして示される、画像源１７０からの光の大部分が、重ね合わせ画像効果を作り出すために意図的に失われる。したがって、施術者の眼１９０は、光１４０と光１８０−Ｂの両方を受け取り、患者の眼１３０の画像、及び画像源１７０によって生成された重ね合わせ画像を含む、合成画像を見る。
【００２１】
知られているように、ビームスプリッタの使用にはトレードオフの関係があり、主要なソースからの光（すなわち、光１４０）のより多くがビームスプリッタを透過できるようにした場合、画像源からの光（すなわち、光１８０−Ａ）のより多くがブロックされる。施術者は典型的に検査対象の患者の眼の鮮明な画像を必要とするため、既存のシステムは典型的に、主要なソースからの光の比較的大部分がビームスプリッタを透過できるようにする。結果として、多くの既存の照明システムにおいて、画像源により生成された重ね合わせ画像の品質が低下している。したがって、患者の眼から反射された（眼に方向付けられた主光源からの光の結果として反射された）光の比較的大部分と、画像源によって生成された重ね合わせ画像の高品質版とを含む合成画像を生成する照明システムが必要とされている。本明細書の実施形態では、マイクロディスプレイ重ね合わせ画像源（例えば、マイクロディスプレイ・プロジェクタ）を採用して、典型的な従来の画像源に比べて高品質の重ね合わせ画像を生成する。高品質の重ね合わせマイクロディスプレイ画像のために必要な、より少ない量の光により、患者の眼内の構造と、重ね合わせ情報の両方についての施術者の視野を向上させることができる。
【００２２】
図２は、一実施形態に係る、マイクロディスプレイ重ね合わせ画像源を有する眼科用照明システムを示す。照明システム２００は、主光源２１０と、ミラー２２０と、マイクロディスプレイ・プロジェクタ２７０と、ビームスプリッタ２６５と、を含む。主光源２１０が、光２０５を生成し、この光を、ミラー２２０によって患者の眼２３０に向けて方向付ける。光２０５は、患者の眼２３０に当たって反射され、反射光２４０−Ａを生成する。反射光２４０−Ｂは、ビームスプリッタ２６５を透過し、施術者の眼２９０に向けて伝搬し、施術者が患者の眼２３０内の構造を見ることを可能にする。
【００２３】
マイクロディスプレイ・プロジェクタ２７０は、患者の眼２３０の画像上に重ね合わせるマイクロディスプレイ画像を生成する。例示的な実施形態では、マイクロディスプレイ・プロジェクタ２７０は、光２８０−Ａを介して、マイクロディスプレイ画像を伝達する。光２８０−Ａは、ビームスプリッタ２６５によって受け取られ、この光の一部２８０−Ｂは、ビームスプリッタ２６５によって施術者の眼２９０に向けて伝達される。したがって、施術者の眼２９０は、光２４０−Ｂと光２８０−Ｂの両方を受け取り、患者の眼２３０の画像、及びマイクロディスプレイ・プロジェクタ２７０によって生成された重ね合わせ画像を含む、合成画像を見る。
【００２４】
一実施形態によると、ビームスプリッタ２６５は、重ね合わせマイクロディスプレイ画像に関連する光（光２８０−Ｂによって示される）の、好ましくは約５〜１５パーセント（５〜１５％）が伝達された（すなわち、反射された）合成画像を伝達するように構成され、結果として高品質の重ね合わせ画像が生じる。例えば、ビームスプリッタ２６５が重ね合わせマイクロディスプレイ画像の約１０パーセント（１０％）を伝達するように構成される場合、重ね合わせマイクロディスプレイ画像に関連する約９０パーセント（９０％）の光２８０−Ｃが、ビームスプリッタ２６５を透過して、失われる。しかしながら、当業者であれば、透過させられる投射光と伝達される投射光との他の比率が可能であることを、理解するであろう。更に、一実施形態では、好ましくは、ビームスプリッタ２６５が、２４０−Ｂとして示される、患者の眼２３０からの反射光の約９０〜９９（９０〜９９％）を、施術者の眼２９０に向けて透過させるように構成される。例えば、患者の眼２３０からの反射光の９９（９９％）が施術者の眼２９０に向けて透過されるように、ビームスプリッタ２６５が構成される場合、２４０−Ｃとして示される、反射光の約１パーセント（１％）の間が、ビームスプリッタ２６５によって反射されて、失われる。この場合も、当業者であれば、透過される、又は反射される反射光２４０−Ａの他の比率が可能であることを、理解するであろう。
【００２５】
ビームスプリッタ２６５は、本明細書の実施形態を実施するように構成される、任意の種類のビームスプリッタであってよい。例えば、ビームスプリッタ２６５は、ガラス若しくはプラスチックの立方体、ハーフミラー（例えば、金属の薄いコーティング若しくはダイクロイック光学コーティングを有するガラス若しくはプラスチックのシート）、又は、ダイクロイックミラープリズムを含むことができる。
【００２６】
マイクロディスプレイ・プロジェクタ２７０は、光学エンジン（例えば、照明源、変調器、及び投影光学系）を含む、任意の種類のマイクロディスプレイ又はピコプロジェクタであってよい。例えば、マイクロディスプレイ・プロジェクタ２７０は、独立型のプロジェクタであってもよいし、又は、モバイル機器（例えば、携帯電話）若しくはノートブック型コンピュータなどの別の機器に統合されたプロジェクタであってもよい。
【００２７】
マイクロディスプレイ・プロジェクタ２７０は、シリコン上液晶（ＬＣｏＳ）、デジタル・マイクロ・ミラー  デバイス（ＤＭＤ）、２Ｄ微小電気機械システム（ＭＥＭＳ）、又は、画像生成用の２Ｄ（Ｘ／Ｙ）ガルバノメータ据付型マイクロスキャナのうちの１つを含むことができる。マイクロディスプレイ・プロジェクタ２７０はまた、（例えば、マイクロディスプレイの大きさに合致する照明領域の寸法でマイクロディスプレイを照射するための）リレー光学系、及びコリメーションレンズ又は投影レンズを含むこともできる。
【００２８】
更に、マイクロディスプレイ・プロジェクタ２７０は、例えば赤外線又はカラー投影画像などを形成するように動作可能である、１つ以上の可視及び／又は不可視の照明源を含むことができる。１つ以上の可視及び／又は不可視の照明源は、ハロゲンランプ、白色発光ダイオード（ＬＥＤ）、１つ以上の同軸ＬＥＤ（例えば、赤、緑、青、琥珀色、若しくは近赤外ＬＥＤ）、又は１つ以上の同軸レーザ（例えば、赤−緑−青（ＲＧＢ）若しくは近赤外レーザ）を含むことができる。一実施形態では、マイクロディスプレイ・プロジェクタ２７０のための例示的な光源は、約１０〜２００ルーメンの照射範囲を有することができる。当業者であれば、マイクロディスプレイ・プロジェクタ２７０が幾つかの他の素子を含むことがあること、及び、本明細書で議論されるマイクロディスプレイ・プロジェクタの特徴及び構成部品は例示にすぎず、したがって、網羅的であることを意図してはいないことに、留意するであろう。
【００２９】
一実施形態では、制御部２９５は、制御スイッチ、ノブ、又はＧＵＩインタフェース（例えば、タッチスクリーンディスプレイ、若しくはマウス／トラックパッドインタフェースを有するＬＣＤ）を介してユーザ入力を受信し、１つ以上のコマンドをマイクロディスプレイ・プロジェクタ２７０に送信して、１つ以上の受信されたユーザ入力に基づいてマイクロディスプレイ投影２８０−Ａを生成するように構成することができる。制御部２９５はまた、１つ以上のユーザ入力に基づいて、１つ以上のコマンドをマイクロディスプレイ・プロジェクタ２７０に送信して、マイクロディスプレイ投影２８０−Ａの色、輝度、及びタイミングを調節してもよい。制御部２９５はまた、１つ以上の外部ソース（例えば、カメラフラッシュトリガー、又はコンピュータ処理リアルタイムスリットランプビデオ）からの入力を受信し、マイクロディスプレイ・プロジェクタ２７０にコマンドを送信するように構成することもできる。
【００３０】
図３は、一実施形態に係る、マイクロディスプレイ重ね合わせ画像源を有する眼科用照明システムにより生成された、患者の眼の合成画像を示す。合成画像３００は、光源２１０からの光がミラー２２０（図２に示す）によって患者の眼３３０に方向付けられた後で受け取られる、患者の眼３３０の画像と、マイクロディスプレイ・プロジェクタ２７０によって生成された視覚情報とを含む。一実施形態では、マイクロディスプレイ・プロジェクタ２７０は同時情報３２０を生成し、この同時情報３２０は重ね合わせられて合成画像３００が形成される。あるいは、同時情報３２０の全て又は一部は、マイクロディスプレイ・プロジェクタ２７０の外部にあるソースから（例えば、制御部２９５から、又は制御部２９５以外のソースから）受け取ることもできる。
【００３１】
例えば、同時情報３２０は、患者の眼３３０に関連付けられ得る任意の種類の画像又はデータなどの、マイクロディスプレイ・プロジェクタ２７０によって受信された又は生成された視覚情報を含むことができる。同時情報３２０は、患者情報、現在時刻及び日付、又は臨床環境において有用であり得る他の情報を含むことができる。別の例では、同時情報３２０は、測定軸、距離、面積、目盛り、又はグリッドなどの測定情報を含むことができる。測定情報はまた、現在の照明領域の直径、現在のスリット幅、スリット間の間隔、現在のフィルタ選択、マイクロメートル目盛りのラベリング、又は、円形／楕円形の半径、比率、及び面積を含むこともできる。
【００３２】
照明システム２００がレーザシステム及び他の装置を含む治療システムと共に使用される場合、同時情報３２０は、治療パラメータ若しくは手術前の画像、治療計画、照準ビームパターン、又は治療ビーム目標標識のうちの１つを含むことができる。例えば、同時情報３２０は、例えば、パワー、スポットサイズ、及び間隔などの治療用レーザのパラメータに関する情報を含むように、レーザシステムのコンソールから受信することができる。
【００３３】
図４は、一実施形態に係る、マイクロディスプレイ重ね合わせ画像源を有する立体視眼科用照明システムを示す。立体視システム４００は、ビームスプリッタ４１５と、ミラー４１７と、ビームスプリッタ２６５−Ｌと、ビームスプリッタ２６５−Ｒと、を含む。立体イメージングシステム４００は、照明システム２００と組み合わせて、例えば、施術者の眼の各々に対して別々の画像を提供することにより、立体イメージングを提供することができる。
【００３４】
図２及び図４を参照すると、ビームスプリッタ２６５が、立体イメージングを提供するための立体イメージングシステム４００によって置き換えられている。例示的な実施形態では、患者の眼２３０からの反射光２４０−Ａは、両方のビームスプリッタ２６５−Ｌ、２６５−Ｒを透過し、上述したのと同様の様式で、施術者の眼２９０に向けて伝搬する。反射光２４０−Ａは、例えば、ビームスプリッタ２６５−Ｌ、２６５−Ｒに対して別々のビームを生成するために、ビームスプリッタ（図示せず）によって分割されてもよい。このように、反射光２４０−Ｌ及び２４０−Ｒは、施術者の眼２９０に向けて透過される、図２において２４０−Ｂとして示される反射光の、立体視的な等価物である。
【００３５】
マイクロディスプレイ・プロジェクタ２７０は、上述したのと同様の様式で、光２４０−Ａによって表わされる画像上に重ね合わせられる画像を表している光２８０−Ａを投射する。光２８０−Ａの第１の部分４８４−Ｒは、ビームスプリッタ２６５−Ｒに向けて、ビームスプリッタ４１５を透過する。光２８０−Ａの第２の部分４８４−Ｌは、ミラー４１７に向けて、ビームスプリッタ４１５によって反射される。光４８４−Ｌは、ビームスプリッタ２６５−Ｌに向けて、ミラー４１７によって反射される。一実施形態では、部分４８４−Ｌが光２８０−Ａの５０パーセント（５０％）を含み、部分４８４−Ｒが光２８０−Ａの５０パーセント（５０％）を含む。
【００３６】
各ビームスプリッタ２６５−Ｌ、２６５−Ｒは、上述のビームスプリッタ２６５と同様の様式で機能する。
【００３７】
図５は、一実施形態に係る、眼科用照明方法のフローチャートを示す。図５は、図２も参照しながら、以下で議論される。
【００３８】
工程５１０において、マイクロディスプレイ画像を生成するためのパラメータが受信される。図２を参照すると、制御部２９５は、マイクロディスプレイ画像を生成するためのパラメータを受信するように構成することができ、パラメータは、患者データ、治療パラメータ、手術前の画像、又は治療計画に関連した同時情報に関する。
【００３９】
工程５１２において、パラメータに基づくコマンドがマイクロディスプレイ・プロジェクタ２７０に送信される。図２を参照すると、制御部２９５はパラメータに基づくコマンドをマイクロディスプレイ・プロジェクタ２７０に送信し、マイクロディスプレイ・プロジェクタ２７０は、そのコマンドに従って、マイクロディスプレイ画像投影２８０−Ａを生成する。
【００４０】
工程５１４において、マイクロディスプレイ・プロジェクタ２７０はマイクロディスプレイ画像を生成するように構成される。例えば、マイクロディスプレイ・プロジェクタ２７０は、シリコン上液晶（ＬＣｏＳ）、デジタル・マイクロ・ミラー（ＤＭＤ）、又は微小電気機械システム（ＭＥＭＳ）マイクロスキャナのうちの１つと、発光ダイオード（ＬＥＤ）又は赤−緑−青（ＲＧＢ）レーザ光源のうちの１つとを含む、マイクロディスプレイ・プロジェクタであり得る。図２を参照すると、マイクロディスプレイ・プロジェクタ２７０は、（例えば、制御部２９５から受信されたコマンドに従って）マイクロディスプレイ画像２８０−Ａを生成する。例えば、マイクロディスプレイ画像２８０−Ａは、患者データ、治療パラメータ、手術前の画像、又は治療計画に関連した同時情報に関するものであってよい。
【００４１】
工程５１６において、第３の光学素子は、マイクロディスプレイ画像２８０−Ａ及び患者の眼２３０からの反射光２４０を受け取るように構成される。図２を参照すると、ミラー２２０が光源２１０によって生成された光２０５を患者の眼２３０に向けて方向付ける。光２０５は眼２３０によって反射され、ビームスプリッタ２６５に向けて伝搬する反射光２４０が生成される。例えば、この反射光は、光源２１０によって生成された光の照射領域により、患者の眼２３０内の構造の画像を含み得る。
【００４２】
工程５１８において、第３の光学素子は、検査のために、少なくとも反射光の一部、及びマイクロディスプレイ画像からの光の一部を医師の眼２９０に向けて伝達するように構成される。図２を参照すると、光２８０−Ａは、ビームスプリッタ２６５によって受け取られ、この光の一部２８０−Ｂは、ビームスプリッタ２６５によって施術者の眼２９０に向けて伝達される。したがって、施術者の眼２９０は、反射光２４０と光２８０−Ｂの両方を受け取り、患者の眼２３０の画像、及びマイクロディスプレイ・プロジェクタ２７０によって生成された重ね合わせ画像を含む、合成画像を見る。例えば、ビームスプリッタ２６５は、光２８０−Ｂの約１０パーセント（１０％）を伝達し、光２８０−Ａの約９０パーセント（９０％）を透過させる（失う）ように構成することができる。ビームスプリッタ２６５はまた、反射光２４０の約９９（９９％）を施術者の眼２９０に向けて透過させ、光２４０の約１パーセント（１％）を反射して失うように構成することもできる。
【００４３】
このように、本明細書で開示されるマイクロディスプレイ重ね合わせ画像源を有するスリットランプ照明システムは、従来の重ね合わせ画像源を有するスリットランプ照明器を置き換えるものとして使用できる。
【００４４】
本明細書に記載のシステム、装置及び方法は、デジタル回路を使用して、又は既知のコンピュータプロセッサ、メモリユニット、記憶デバイス、コンピュータソフトウエア及びその他の構成要素を用いる１つ以上のコンピュータを使用して実施され得る。典型的には、コンピュータは、命令を実行するためのプロセッサ並びに命令及びデータを格納するための１つ以上のメモリを含む。コンピュータはまた、１つ以上の磁気ディスク、内部ハードディスク及び取り外し可能ディスク、光磁気ディスク、光ディスクなどのような１つ以上の大容量記憶デバイスを含んでいてもよいし、又はこれらのデバイスと結合されてもよい。
【００４５】
本明細書に記載のシステム、装置及び方法は、クライアント−サーバの関係で動作するコンピュータを用いて実施することが可能である。典型的には、このようなシステムでは、クライアントコンピュータは、サーバコンピュータから離れて配置されて、ネットワークを介して相互交信を行う。クライアント−サーバの関係は、それぞれのクライアントコンピュータ及びサーバコンピュータ上で実行されるコンピュータプログラムにより定義され、制御されてもよい。
【００４６】
本明細書に記載のシステム、装置及び方法はネットワークベースのクラウドコンピューティングシステム内で使用することが可能である。このようなネットワークベースのクラウドコンピューティングシステムでは、ネットワークに接続されているサーバ又は別のプロセッサが、ネットワークを介して１つ以上のクライアントコンピュータと通信を行う。クライアントコンピュータは、例えば、クライアントコンピュータ上に存在し、動作するネットワーク・ブラウザ・アプリケーションを介してサーバと通信を行うことが可能である。クライアントコンピュータは、サーバ上にデータを格納し、ネットワークを介してそのデータにアクセスすることが可能である。クライアントコンピュータは、ネットワークを介してデータ要求又はオンラインサービス要求をサーバへ送信することが可能である。サーバは、要求されたサービスを実行し、（１つ又は複数の）クライアントコンピュータへデータを提供することが可能である。サーバはまた、例えば、クライアントコンピュータに計算を行わせたり、画面上に指定データを表示させたりするような指定機能を実行させるように適合されたデータを送信することが可能である。例えば、サーバは、図５の１つ以上の工程を含む本明細書に記載の１つ以上の方法の工程をクライアントコンピュータに実行させるように適合された要求を送信することが可能である。図５の１つ以上の工程を含む本明細書に記載の方法の特定の工程を、ネットワークベースのクラウドコンピューティングシステム内のサーバにより、又は別のプロセッサにより実行することが可能である。図５の工程５１２を含む本明細書に記載の方法の特定の工程を、ネットワークベースのクラウドコンピューティングシステム内のクライアントコンピュータにより実行することが可能である。ネットワークベースのクラウドコンピューティングシステム内のサーバ及び／又はクライアントコンピュータの任意の組み合わせにより、図５の工程５１２を含む、本明細書に記載の方法の工程を実行することが可能である。
【００４７】
本明細書に記載のシステム、装置及び方法は、プログラマブルプロセッサにより実行するために、情報担体において、例えば、非一過性コンピュータ可読記憶デバイスにおいて、有形に具体化されたコンピュータプログラム製品を用いて実施することが可能であり、図５の１つ以上の工程を含む本明細書に記載の方法の工程は、このようなプロセッサにより実行可能な１つ以上のコンピュータプログラムを用いて実施することが可能である。コンピュータプログラムは、ある活動を実行したり、ある結果をもたらしたりするためにコンピュータ内で直接的又は間接的に使用可能な１組のコンピュータプログラム命令である。コンピュータプログラムは、コンパイル型言語又はインタープリタ型言語を含む任意の形式のプログラミング言語で記述されてよく、また、例えば、スタンドアローン型プログラムとして、又はモジュール、コンポーネント、サブルーチン、若しくはコンピューティング環境の中で使用するのに適した別のユニットとして、任意の形式で実装し得る。
【００４８】
本明細書に記載のシステム、装置及び方法を実施するのに使用し得る例示のコンピュータの高度なブロック図が、図６に示されている。コンピュータ６００はデータ記憶デバイス６２０及びメモリ６３０と動作可能に連結されたプロセッサ６１０を含む。プロセッサ６１０は、このような動作を定義するコンピュータプログラム命令を実行することによってコンピュータ６００全体の動作を制御する。コンピュータプログラム命令は、データ記憶デバイス６２０内に、又は、別のコンピュータ可読媒体内に格納されてよく、また、コンピュータプログラム命令の実行を所望するとき、メモリ６３０内にロードされてよい。したがって、メモリ６３０及び／又はデータ記憶デバイス６２０内に格納されているコンピュータプログラム命令により図５の方法の工程を定義することができ、コンピュータプログラム命令を実行するプロセッサ６１０によりこれらの方法の工程を制御することができる。例えば、当業者によりプログラムされたコンピュータ実行可能コードとしてコンピュータプログラム命令を実装して、図５の方法の工程により定義されるアルゴリズムを実施することができる。したがって、これらのコンピュータプログラム命令を実行することにより、プロセッサ６１０は、図５の方法の工程により定義されたアルゴリズムを実行する。コンピュータ６００はまた、ネットワークを介して別のデバイスと通信を行なうための１つ以上のネットワークインタフェース６４０を更に備える。コンピュータ６００はまた、コンピュータ６００とのユーザインタラクションを可能にする１つ以上の入力／出力デバイス６５０（例えば、ディスプレイ、キーボード、マウス、スピーカ、ボタンなど）を備える。
【００４９】
プロセッサ６１０には、汎用マイクロプロセッサ、及び専用マイクロプロセッサのどちらも含むことができ、プロセッサ６１０は、コンピュータ６００の唯一のプロセッサであってもよいし、複数のプロセッサのうちの１つであってもよい。プロセッサ６１０は例えば１つ以上の中央演算処理装置（ＣＰＵ）を備えてもよい。プロセッサ６１０、データ記憶デバイス６２０及び／又はメモリ６３０は、１つ以上の特定用途向け集積回路（ＡＳＩＣ）及び／又は１つ以上のフィールド・プログラマブル・ゲートアレイ（ＦＰＧＡ）を含むか、これらにより補完されるか、又はこれらに組み込まれてもよい。
【００５０】
データ記憶デバイス６２０及びメモリ６３０はそれぞれ、有形の非一過性コンピュータ可読記憶媒体を含む。データ記憶デバイス６２０及びメモリ６３０は、ダイナミック・ランダムアクセスメモリ（ＤＲＡＭ）、スタティック・ランダムアクセスメモリ（ＳＲＡＭ）、ダブル・データ・レート・シンクロナス・ダイナミック・ランダムアクセスメモリ（ＤＤＲ  ＲＡＭ）、又はその他のランダムアクセス型ソリッドステート記憶デバイスなどの高速ランダムアクセスメモリを各々含んでもよく、また、１つ以上の内部ハードディスク及び取り外し可能ディスクなどの磁気ディスク記憶デバイス、光磁気ディスク記憶デバイス、光ディスク記憶デバイス、フラッシュメモリ装置、消去可能プログラムマブル読み出し専用メモリ（ＥＰＲＯＭ）、電気的消去可能プログラムマブル読み出し専用メモリ（ＥＥＰＲＯＭ）などの半導体メモリデバイス、コンパクトディスク読み出し専用メモリ（ＣＤ−ＲＯＭ）、デジタル多用途ディスク読み出し専用メモリ（ＤＶＤ−ＲＯＭ）ディスク、又はその他の不揮発性ソリッドステート記憶デバイスなどの不揮発性メモリを含んでいてもよい。
【００５１】
入力／出力装置６５０はプリンタ、スキャナ、表示画面などのような周辺装置を含んでもよい。例えば、入出力デバイス６５０は、ユーザに対して情報を表示するための陰極線管（ＣＲＴ）、プラズマ又は液晶ディスプレイ（ＬＣＤ）モニタのような表示デバイスと、ユーザがコンピュータ６００に入力できるようにするための、キーボード、及びマウス又はトラックボールなどのポインティング・デバイスと、を含んでいてもよい。
【００５２】
マイクロディスプレイ・プロジェクタ２１０及び制御部２９５を含む、本明細書に記載のシステム及び装置のいずれか又は全ては、コンピュータ６００などのコンピュータを用いて実装することが可能である。
【００５３】
当業者であれば、実際のコンピュータ又はコンピュータシステムの実装が別の構成を有し得ること、及び、別の構成要素も包含し得ること、並びに、図６が、例示目的のための、かかるコンピュータの構成要素の一部からなる高度な表現であることを認識するであろう。
【００５４】
上述の発明を実施するための形態は、あらゆる点で例示を目的とするものであり、本発明を限定するものとして理解すべきではなく、本明細書に開示された本発明の範囲は、発明を実施するための形態から判断すべきものではなく、特許請求の範囲を、特許法で許容される最大限の範囲によって解釈して判断すべきである。本明細書に記載かつ示された諸実施形態が単に本発明の原理を例示するものにすぎないこと、及び、種々の変更が本発明の趣旨及び範囲から逸脱することなく当業者により実施され得るものであることを理解されたい。当業者であれば、本発明の趣旨及び範囲から逸脱することなく、様々な他の特徴の組み合わせを実施することが可能である。
【図１】
2017500108.tif 000003
【図２】
2017500108.tif 000004
【図３】
2017500108.tif 000005
【図４】
2017500108.tif 000006
【図５】
2017500108.tif 000007
【図６】
2017500108.tif 000008
【国際調査報告】
2017500108.tif 000009
2017500108.tif 000010
2017500108.tif 000011